(57)【特許請求の範囲】
【請求項１】
ブロックの横方向に沿う横長で一連の横筋挿通用溝をブロック上面に備え、ブロックを縦方向に貫通する縦長の縦筋挿通用穴をブロック肉厚部に備え、かつ、縦筋挿通用穴の上端面がブロック上面側の横筋挿通用溝内に開口されている建築用ブロックに適用するためのものであり、しかも、縦筋の挿通を必要としないときの建築用ブロックの縦筋挿通用穴の上端面を閉塞してその縦筋挿通用穴へのモルタル流入を防止するためのものにおいて、 横筋挿通用溝の内面と密接自在に対応する曲げ形状の薄板構造物からなり、その上下両面がいずれも曲げ形状を有するものであること、および、
薄板構造物における上下両面の表面積が縦筋挿通用穴の口径よりも大きいものであること、および、
建築用ブロックの上面にある横筋挿通用溝内に嵌め込まれて縦筋挿通用穴の上端面を閉塞してきるときの当該薄板構造物が横筋挿通用溝外に突出しないものであること
を特徴とする建築用ブロックのモルタル流入防止具。
【請求項２】
ブロックの横方向に沿う横長で一連の横筋挿通用溝をブロック上面に備え、ブロックを縦方向に貫通する縦長の縦筋挿通用穴をブロック肉厚部に備え、かつ、縦筋挿通用穴の上端面がブロック上面側の建築用ブロックに開口されている建築用ブロックにおいて、
請求項１に記載されたモルタル流入防止具が建築用ブロックの上面にある横筋挿通用溝内に嵌め込まれて縦筋挿通用穴の上端面を塞いでいること
を特徴とする建築用ブロック。
【発明の詳細な説明】
【技術分野】
【０００１】
本発明は、建築用ブロックのモルタル流入防止具及び建築用ブロックに関するものである。
【背景技術】
【０００２】
建築用ブロックは、横筋挿通用溝と縦筋挿通用穴とを備えた横筋兼用型が製造販売されており、横筋型を兼用することにより型品種が減り本数の算出等で利便性を有している。
【０００３】
しかしながら、この種の建築用ブロックは縦筋挿通用穴を有しているため、施工時にモルタルを充填する際に縦筋の挿通を必要としない縦筋挿通用穴にモルタルが落下流入するため縦筋の挿通を必要としない縦筋挿通用穴にモルタルを充填している。これは、構造上で強度がアップするが、縦筋の挿通を必要としない縦筋挿通用穴にモルタルを充填する作業が増えて施工時間がかかり、モルタルの使用量が無駄でありコスト高となると共に、多くの場合過剰な構造となっている等の問題がある。この問題を解消するため施工作業者は縦筋の挿通を必要としない縦筋挿通用穴に新聞紙等の詰め物をしてモルタルの落下流入を防止しているが、その手間を有し、見た目にも良くない。
【特許文献１】特開２００６−３４８５０８公報
【発明の開示】
【発明が解決しようとする課題】
【０００４】
本発明の目的は、縦筋の挿通を必要としない縦筋挿通用穴にモルタルが落下流入しないようにした建築用ブロックのモルタル流入防止具及び建築用ブロックを提供することである。
【課題を解決するための手段】
【０００５】
上記の目的を達成するための本発明に係るモルタル流入防止具は、下記の課題解決手段を特徴とする。
すなわち本発明に係るモルタル流入防止具は、
ブロックの横方向に沿う横長で一連の横筋挿通用溝をブロック上面に備え、ブロックを縦方向に貫通する縦長の縦筋挿通用穴をブロック肉厚部に備え、かつ、縦筋挿通用穴の上端面がブロック上面側の横筋挿通用溝内に開口されている建築用ブロックに適用するためのものであり、しかも、縦筋の挿通を必要としないときの建築用ブロックの縦筋挿通用穴の上端面を閉塞してその縦筋挿通用穴へのモルタル流入を防止するためのものにおいて、 横筋挿通用溝の内面と密接自在に対応する曲げ形状の薄板構造物からなり、その上下両面がいずれも曲げ形状を有するものであること、および、
薄板構造物における上下両面の表面積が縦筋挿通用穴の口径よりも大きいものであること、および、
建築用ブロックの上面にある横筋挿通用溝内に嵌め込まれて縦筋挿通用穴の上端面を閉塞してきるときの当該薄板構造物が横筋挿通用溝外に突出しないものであること
を特徴とする。
【０００６】
上記の目的を達成するための本発明に係る建築用ブロックは、下記の課題解決手段を特徴とする。
すなわち本発明に係る建築用ブロックは、
ブロックの横方向に沿う横長で一連の横筋挿通用溝をブロック上面に備え、ブロックを縦方向に貫通する縦長の縦筋挿通用穴をブロック肉厚部に備え、かつ、縦筋挿通用穴の上端面がブロック上面側の建築用ブロックに開口されている建築用ブロックにおいて、
請求項１に記載されたモルタル流入防止具が建築用ブロックの上面にある横筋挿通用溝内に嵌め込まれて縦筋挿通用穴の上端面を塞いでいること
を特徴とする。
【発明の効果】
【０００７】
本発明によると、縦筋の挿通を必要としない縦筋挿通用穴をモルタル流入防止具により塞いだことより施工時にモルタルを充填する際に縦筋の挿通を必要としない縦筋挿通用穴にモルタルが流入することがなくなり、縦筋の挿通を必要としない縦筋挿通用穴にモルタルを充填する作業がが省略され施工時間が短縮し、モルタルの無駄な使用がなくなるためコスト低減が図れる効果を有している。
【発明を実施するための最良の形態】
【０００８】
以下本発明を実施するための最良の形態について図面に基づいて説明する。図１は本発明によるモルタル流入防止具１である。このモルタル流入防止具１は後述する建築用ブロック２の横筋挿通用溝３内に嵌合密接されるものであり、軟質・硬質・半硬質のいずれかで可撓性を有し通気性のあるもの又は通気性のないものの何れでもよくプラスチック（ＦＲＰを含む）製・金属製・木製（たとえばベニヤ板のような合板）・布製（合成樹脂などを含浸させたクロス・丈夫で腰のある帆布など）・紙製（段ボールや強化紙など）・石膏ボード製、布ヤスリ、細かい網状、これらの複合材等々、このうちのいずれでもよい。
そして、このモルタル流入防止具１は平板でもよいが、前記横筋挿通用溝３の半円形、Ｕ字形、Ｖ字形、チャンネル形等の凹溝に嵌合密接される。例えば図例のように横筋挿通用溝３が半円形の場合にはモルタル流入防止具１は半円形の横筋挿通用溝３に形状に沿った凹円弧面１ａに形成されたものが横筋挿通用溝３内へ安定した嵌合密接性が得られる。
【０００９】
前記モルタル流入防止具１は図２で示すように、上下面側に横筋挿通用溝３と縦筋挿通用穴４及び５とを備えた建築用ブロック２の前記上面側の横筋挿通用溝３内に嵌合密接して縦筋７の挿通を必要としない縦筋挿通用穴４及び５を閉塞する。つまり、縦筋７の挿通を必要としない縦筋挿通用穴４及び５をモルタル流入防止具１によってふたをする。
【００１０】
前記縦筋挿通用穴４及び５とは、横筋挿通用溝３内で上下面側に貫通している縦筋挿通用穴４と建築用ブロック２の両側面に上下方向に形成されている凹溝が隣接する建築用ブロック２の凹溝とにより形成される縦筋挿通用穴５である。
【００１１】
また、縦筋の挿通を必要としない縦筋挿通用穴４及び５について説明する。図５は建築用ブロック２の「いも目地積み」を示す。この「いも目地積み」は横筋挿通用溝３内に設けられている縦筋挿通用穴４を同一線上に位置して積み重ねた形態であり、横筋６は横筋挿通用溝３内を挿通し、縦筋７は隣接する建築用ブロック２の両側面に形成されている凹溝による縦筋挿通用穴５を挿通する。従って、横筋挿通用溝３内で上下面側に貫通している縦筋挿通用穴４には縦筋７は挿通されないのである。つまり、建築用ブロック２の「いも目地積み」では、横筋挿通用溝３内で上下面側に貫通している縦筋挿通用穴４は縦筋の挿通を必要としない穴である。
【００１２】
さらに、図６は建築用ブロック２の「破れ目地積み」を示す。この「破れ目地積み」は横筋挿通用溝３内に設けられている縦筋挿通用穴４と隣接する建築用ブロック２の両側面に形成されている凹溝による縦筋挿通用穴５とが同一線上に交互位置して積み重ねた形態であり、横筋６は横筋挿通用溝３内を挿通し、縦筋７は縦筋挿通用穴４と縦筋挿通用穴４とに挿通されるが、横筋６を挿通した左右位置の中央部位の縦筋挿通用穴４と、これと合致する隣接した建築用ブロック２の両側面に形成されている凹溝による縦筋挿通用穴５には縦筋７は挿通されないのである。つまり、建築用ブロック２の「破れ目地積み」では、縦筋７の挿通を必要としない縦筋挿通用穴４と縦筋挿通用穴５とが存在する。
【００１３】
そこで、本発明は縦筋７の挿通を必要としない縦筋挿通用穴４及び５をモルタル流入防止具１で塞ぎふたをした状態にしたものである。
【００１４】
これは、モルタル流入防止具１を横筋挿通用溝３内に嵌合密接する簡単な作業で完了するが、建築用ブロック２の積み重ね施工時にモルタル流入防止具１を横筋挿通用溝３内に嵌合密接してもよいが、これでは作業者に余計な負担をかけるため、予め建築用ブロック２にモルタル流入防止具１を横筋挿通用溝３内に嵌合密接しておき、これを作業者が積み重ね施工することが作業能率の上で望ましい。
【００１５】
このように本発明では、建築用ブロック２の「いも目地積み」あるいは「破れ目地積み」の何れにおいても縦筋７の挿通を必要としない縦筋挿通用穴４及び５をモルタル流入防止具１で塞ぎふたをした状態にするため、縦筋の挿通を必要としない縦筋挿通用穴にモルタルが流入することがなくなり、また、従来のように縦筋の挿通を必要としない縦筋挿通用穴にモルタルを充填することが省略されるため、施工時間が短縮、モルタルの無駄な使用がなくなり施工コストを低減することができる。
【００１６】
また、モルタル流入防止具１は簡単な構造であり安価に提供することができ、このモルタル流入防止具１を建築用ブロック２の特定箇所へ嵌合密接する作業も簡単で極めて短時間で完了する利点を有している。
【図面の簡単な説明】
【００１７】
【図１】モルタル流入防止具の斜視図
【図２】モルタル流入防止具を装着した建築用ブロックの斜視図
【図３】図２のＡーＡ断面図
【図４】図２のＢーＢ断面図
【図５】本発明モルタル流入防止具を用いた「いも目地積み」の断面図
【図６】本発明モルタル流入防止具を用いた「破れ目地積み」の断面図
【符号の説明】
【００１８】
１      モルタル流入防止具
２      建築用ブロック
３      横筋挿通用溝
４      縦筋挿通用穴
５      縦筋挿通用穴
６      横筋
７      縦筋
【図１】
0004681582.tif 000002
【図２】
0004681582.tif 000003
【図３】
0004681582.tif 000004
【図４】
0004681582.tif 000005
【図５】
0004681582.tif 000006
【図６】
0004681582.tif 000007